(57)【特許請求の範囲】
【請求項１】
金属製のケースと、
前記ケース内に収納されるムーブメントと、
前記ムーブメントを前記ケース内に案内する非導電性の案内部材と、
前記ムーブメントに設けられてばね性を有するアース端子と、
前記案内部材に設けられて前記アース端子およびケースに接触する導電性の導通ピンとを備える
ことを特徴とする電子時計。
【請求項２】
請求項１に記載の電子時計において、
前記案内部材には、径方向に沿って貫通孔が形成され、
前記導通ピンは、前記案内部材の貫通孔に挿通されて前記径方向に沿って移動可能に配置され、
前記案内部材の内周側に位置する基端部が前記アース端子に接触し、
前記案内部材の外周側に位置する先端部が前記ケースに接触する
ことを特徴とする電子時計。
【請求項３】
請求項１または請求項２に記載の電子時計において、
前記導通ピンを前記ケースおよびアース端子間に配置した際に、前記アース端子の変位量は前記アース端子の許容たわみ量以下となるように設定され、
前記導通ピンは、前記アース端子に付勢されて前記ケースに接触する
ことを特徴とする電子時計。
【請求項４】
請求項１から請求項３のいずれか一項に記載の電子時計において、
前記案内部材には、前記導通ピンと前記アース端子との接触状態を確認可能な窓が形成されている
ことを特徴とする電子時計。
【発明の詳細な説明】
【技術分野】
【０００１】
本発明は、電子時計に関する。
【背景技術】
【０００２】
腕時計では、コストの削減と、デザインのバリエーション増加を両立するため、基本となる共通のムーブメントを、様々なサイズ、デザインの時計ケース内に組み込むことで、大きさやデザインの異なる複数種類の時計を構成することが考えられている。
ところで、電子時計には、静電気などによる電荷が帯電することを防止するため、ムーブメントのアース端子（プラス電極）と、時計のケースの内壁とを導通する導通ばねが設けられている（例えば、特許文献１の図３，５）。
この特許文献１では、ムーブメントとともにケース内に収納される中枠に、前記導通ばねの撓み量を設定する弾性部材規制部を設けていた。これにより、導通ばねの撓み量を変更し、内径寸法が異なるケースに対して導通ばねを導通できるように構成していた。
【先行技術文献】
【特許文献】
【０００３】
【特許文献１】特開２００９−２５０９１３号公報
【発明の概要】
【発明が解決しようとする課題】
【０００４】
しかしながら、前記特許文献１では、導通ばねに弾性部材規制部を当接させてその撓み量を変更しているため、撓み量の変更範囲に制限がある。このため、撓み量を変更することで導通ばねを当接できるケースサイズには制約があり、例えば、従来よりも内径寸法がより大きなケースの場合には、導通ばねをケースの内壁に当接させることが難しい場合もあった。
また、導通ばねの撓み量が変化するため、ケースの内径寸法によっては、導通ばねとケースとの接触状態が不安定となり、静電気対策も不安定となる場合もある。
【０００５】
本発明は、ケースサイズの異なる電子時計において、共通のムーブメントを用いることができ、ムーブメントのアース端子とケースとを確実に導通できる電子時計を提供することにある。
【課題を解決するための手段】
【０００６】
本発明の電子時計は、金属製のケースと、前記ケース内に収納されるムーブメントと、前記ムーブメントを前記ケース内に案内する非導電性の案内部材と、前記ムーブメントに設けられてばね性を有するアース端子と、前記案内部材に設けられて前記アース端子およびケースに接触する導電性の導通ピンとを備えることを特徴とする。
【０００７】
本発明によれば、ムーブメントは、合成樹脂等の非導電性の案内部材を用いて金属製のケースに案内される。ここで、案内部材は、例えば、中枠や文字板受けリングである。この案内部材には導通ピンが設けられ、この導通ピンがムーブメントのアース端子およびケースに接触するため、アース端子は導通ピンを介して金属製のケースに導通する。
このため、共通のムーブメントを用いてケースサイズが異なる複数種類の電子時計を構成する場合は、前記案内部材および導通ピンのみをケースサイズに応じて変更することで対応できる。したがって、アース端子と導通ピンとの接触状態をケースサイズに関係なく一定にでき、導通ピンとケースとの接触状態もケースサイズに関係なく一定にできるため、安定した静電気対策を行うことができる。
【０００８】
本発明の電子時計において、前記案内部材には、径方向に沿って貫通孔が形成され、前記導通ピンは、前記案内部材の貫通孔に挿通されて前記径方向に沿って移動可能に配置され、前記案内部材の内周側に位置する基端部が前記アース端子に接触し、前記案内部材の外周側に位置する先端部が前記ケースに接触することが好ましい。
【０００９】
案内部材に貫通孔を形成し、この貫通孔に導通ピンを挿通すればよいため、案内部材および導通ピンの構造を簡易にでき、安価に提供できる。さらに、案内部材および導通ピンは、貫通孔に導通ピンを挿通した状態で部品として管理できるので、共通のムーブメントを用いた場合に、ケースサイズに応じた寸法に設計する案内部材および導通ピンを、個別に管理する場合に比べて、管理作業が容易になる。
また、案内部材の径方向に沿って導通ピンを移動可能に配置し、導通ピンの先端部をケースに接触しているので、ケースの内周面のいずれの場所にも導通ピンを接触でき、導通ピンの配置位置の自由度を高くできる。
【００１０】
本発明の電子時計において、前記導通ピンを前記ケースおよびアース端子間に配置した際に、前記アース端子の変位量は前記アース端子の許容たわみ量以下となるように設定され、前記導通ピンは、前記アース端子に付勢されて前記ケースに接触することが好ましい。
【００１１】
例えば、導通ピンが配置されていない状態におけるアース端子およびケース間の寸法と、前記導通ピンの長さ寸法との差をアース端子の許容たわみ量以下に設定することで、導通ピンを前記ケースおよびアース端子間に配置して接触させた際に、前記アース端子の変位量は前記アース端子の許容たわみ量以下となるように設定することができる。
そして、このように設定すれば、導通ピンをアース端子のバネ力でケースに付勢することができ、ケースに所定の付勢力で接触させることができる。したがって、アース端子と導通ピンとを確実にかつ安定して接触させることができる。さらに、アース端子のバネ力で導通ピンを付勢してケースに接触させているので、別途、導通ピンを付勢するバネを設ける必要が無く、部品点数を低減できる。
【００１２】
本発明の電子時計において、前記案内部材には、前記導通ピンと前記アース端子との接触状態を確認可能な窓が形成されていることが好ましい。
このような構成によれば、案内部材に形成された窓から導通ピンとアース端子との接触状態を容易に確認できる。このため、導通ピンとアース端子との接触状態が不安定であれば、安定した接触状態に直すことができ、安定した静電気対策を行うことができる。
【図面の簡単な説明】
【００１３】
【図１】本発明の実施形態の電子時計を示す正面図。
【図２】前記電子時計の導通ピンを用いた導通構造を示す拡大断面図。
【図３】前記電子時計の文字板受けリングを示す平面図。
【図４】前記電子時計の要部の分解斜視図。
【発明を実施するための形態】
【００１４】
以下、本発明の実施形態に係る電子時計（腕時計）１を図１〜４に基づいて説明する。
電子時計１は、後述するムーブメント等を収容する外装ケース２を備える。外装ケース２は、ケース本体（胴）３と、裏蓋４とを備える。
ケース本体３の表面側の開口には、カバーガラス５が取り付けられている。
【００１５】
ケース本体３の裏面側には、ケース本体３の裏面側の開口を塞ぐ円板状の裏蓋４が取り付けられている。
裏蓋４は、リング状の枠１３と、この枠１３の内部にパッキンを介して圧入された透光性部材である裏蓋ガラス１４とで構成されている。
なお、本実施形態では、ケース本体３と裏蓋４とは、別体で構成されているが、これに限らず、ケース本体３および裏蓋４が一体化されたワンピースケースでもよい。
ケース本体３、裏蓋４の枠１３には、ＢＳ（真鍮）、ＳＵＳ（ステンレス鋼）、チタン合金などの金属材料が利用される。
【００１６】
［電子時計の内部構造］
次に、電子時計１の外装ケース２に内蔵される内部構造について説明する。
図２〜図４に示すように、外装ケース２内には、ムーブメント６と、案内部材である文字板受けリング７０と、文字板１５と、ダイヤルリング１６とが収容される。
【００１７】
［ムーブメント］
ムーブメント６は、従来から時計に用いられているものが利用できる。本実施形態のムーブメント６は、地板、ステップモーター、輪列、電池などを備え、指針を駆動する。例えば、図１に示す電子時計１では、ムーブメント６は、文字板１５の平面中心位置を回転軸とする時針２１、分針２２、秒針２３を駆動する。
また、本実施形態のムーブメント６は、回転錘６２の回転によって発電する発電機と、この発電機の発電電力を充電する二次電池と、二次電池の電力で駆動されるモーターとを備えたムーブメントである。
【００１８】
なお、ムーブメント６としては、ボタン型の一次電池でステップモーターを駆動する一般的なクオーツ時計用のムーブメントでもよいし、ゼンマイを駆動源として発電する発電機と、この発電機の発電電力を充電する二次電池と、二次電池の電力で駆動されるモーターとを備えたムーブメントでもよい。
また、各指針のレイアウトや数、種類などは図１に示すものに限定されない。さらに、日車や曜車などのカレンダー車を別途設けてもよい。
【００１９】
［文字板受けリング］
本実施形態の文字板受けリング７０は、ポリアセタール樹脂等の合成樹脂で構成され、ムーブメント６を外装ケース２内に案内する案内部材を構成する。
文字板受けリング７０は、図３、図４に示すように、円環状に形成された上面部７１と、上面部７１から裏蓋４側に延長されたリングバネ部７２と、ムーブメント６を保持するフック部７４とを備えている。
上面部７１には、２つの凹部７１１が形成され、各凹部７１１間には表面側つまり文字板１５側に突出するリング表面側当接部７１２が形成されている。
凹部７１１は文字板１５をムーブメント６の地板から外す際に用いられる文字板外し溝である。リング表面側当接部７１２は、文字板１５の裏面に当接し、文字板１５を受ける部分である。
【００２０】
リングバネ部７２は、上面部７１の円周方向に４つ形成されている。各リングバネ部７２は、上面部７１から連続する２本の柱部７２１と、これらの柱部７２１間に掛け渡された梁部７２２とを備えて構成されている。梁部７２２の中間位置の底面には押し上げ用突起７２３が形成されている。そして、梁部７２２の表面側は空間とされているので、前記押し上げ用突起７２３に上面部７１に向かう力が加わると、梁部７２２は上面部７１側に撓み、そのばね力で文字板受けリング７０を文字板１５側に付勢する。
【００２１】
リングバネ部７２の底面（下面）には、裏蓋４に当接して文字板受けリング７０の高さ方向の「がたつき」を防止するガタ防止突起７２５が形成されている。
リングバネ部７２に設けられるガタ防止突起７２５は、梁部７２２の下面において２つ形成され、その間に押し上げ用突起７２３が形成されている。
【００２２】
フック部７４は、主にリングバネ部７２の柱部７２１の内周側に配置されている。ムーブメント６は、このフック部７４によって、文字板受けリング７０の内周側に取り付けられている。
【００２３】
文字板受けリング７０の外周面には、複数のガタ防止突起７５が形成されている。文字板受けリング７０をケース本体３内に配置した際に、ガタ防止突起７５がケース本体３の内壁に当接し、ケース本体３に対する文字板受けリング７０の平面方向のがたつきを防止している。
したがって、文字板受けリング７０は、ムーブメント６を外装ケース２内に案内する非導電性の案内部材を構成する。なお、本実施形態では、中枠は用いていないが、中枠を用いて案内部材としてもよい。さらに、文字板受けリング７０および中枠の両方で案内部材を構成してもよい。
【００２４】
文字板受けリング７０には、後述する導通ピン８０が挿通される貫通孔７３が形成されている。貫通孔７３は、文字板受けリング７０の径方向に沿って形成されている。本実施形態では、図１、３の正面図において電子時計１の文字板１５の中心位置から略１１時方向の位置に形成されている。
文字板受けリング７０の上面部７１には、前記貫通孔７３に挿通された導通ピン８０と、後述するアース端子６５との接触状態を確認できる窓７１３が形成されている。
また、文字板受けリング７０の３時方向には、リューズ３０の軸や巻真（図示略）が配置される凹溝が形成され、文字板受けリング７０の２時方向には、ボタン３１の軸が配置される貫通孔が形成されている。
【００２５】
［文字板］
文字板１５は、ステンレスなどの金属材やプラスチックなどの板材で形成されており、底面から突設された足（図示略）をムーブメント６の地板に圧入することでムーブメント６の表面側に取り付けられる。この際、前記文字板受けリング７０に当接することで、ムーブメント６に対する文字板１５の高さ位置が規定される。
文字板１５の表面における外周縁には、ダイヤルリング１６が配置される。ダイヤルリング１６の上面はケース本体３に当接して位置決めされている。
【００２６】
［導通構造］
次に、電子時計１の静電気対策として設けられた導通構造について説明する。
ムーブメント６には、図２に示すように、ばね性を有するアース端子６５が取り付けられている。アース端子６５は、金属製の板材を湾曲させて形成され、接触面に荷重を加えることで接触面が動き、適切な接触圧が得られる許容たわみ量（ばねストローク範囲）が設定されている。
文字板受けリング７０の貫通孔７３には、導通ピン８０が挿通されている。この貫通孔７３の内径は、図２に示すように、貫通孔７３の外周縁から内周縁の近傍までは一定のサイズであるが、内周縁の近傍から内周縁に向かっては徐々に内径が小さくされてテーパ状に形成されている。このため、貫通孔７３の内周縁には、貫通孔７３内に向かって突出する係止部７３１が形成されている。
【００２７】
導通ピン８０は、略円柱状に形成され、一方の端部である先端部８１は略半球状に形成されている。また、導通ピン８０の中間部から他方の端部である基端部（後端部）８３までの間には、先端部８１の直径よりも小径とされた小径部８２が形成されている。この小径部８２の直径は貫通孔７３の係止部７３１部分の内径よりも小さくされている。さらに、導通ピン８０の基端部８３は、前記先端部８１と同径とされ、アース端子６５に対向する端面の外周部分は、傾斜面とされている。
ここで、導通ピン８０の軸方向の長さ寸法Ｌ１は、導通ピン８０が配置されていない状態でのアース端子６５（図２で二点鎖線で示す）と、ケース本体３の内壁との間隔寸法Ｌ２よりも長く設定され、その差Ｌ３＝Ｌ１−Ｌ２がアース端子６５の許容たわみ量以下に設定されている。
このため、図２に示すように、導通ピン８０をケース本体３（外装ケース２）の内壁と、アース端子６５との間に配置した際に、アース端子６５の変位量Ｌ２は、アース端子６５の許容たわみ量以下になる。したがって、導通ピン８０は、アース端子６５のバネ力でケース本体３の内壁側に付勢され、ケース本体３およびアース端子６５に所定の接触圧で接触し、安定した導通状態を維持できる。
【００２８】
以上のように、導通ピン８０の長さ寸法Ｌ１は、ムーブメント６のアース端子６５と、ケース本体３の内壁との間隔寸法に応じて設定する必要がある。すなわち、内径寸法の異なる複数種類のケース本体３に対して、共通のムーブメント６を組み込む場合、ケース本体３およびムーブメント６の間隔寸法に応じて、上面部７１の直径が設定された文字板受けリング７０を用意する。そして、各文字板受けリング７０のサイズに合わせて導通ピン８０の長さ寸法Ｌ１も設定すればよい。
なお、ケース本体３の内径寸法が小さい電子時計１の場合には、アース端子６５を直接ケース本体３の内壁に接触させてもよい。すなわち、小型のケース２の場合のように、ムーブメント６とケース本体３の内壁との隙間寸法が小さい場合には、アース端子６５を直接ケース本体３の内壁に接触させることができる。
【００２９】
このため、文字板受けリング７０に対して導通ピン８０を予め取り付けておくことが、部品管理の上で好ましい。この導通ピン８０を文字板受けリング７０に組み込む作業は以下の通りである。貫通孔７３の外周側から導通ピン８０を押し込むと、導通ピン８０の基端部８３の傾斜面と、前記係止部７３１のテーパ面とが当接し、係止部７３１が弾性変形して広がり、基端部８３が乗り越える。このため、導通ピン８０は、係止部７３１が小径部８２に位置する範囲で、文字板受けリング７０の径方向に移動可能に取り付けられる。すなわち、文字板受けリング７０に取り付けられた導通ピン８０は、電子時計１の組立時などに文字板受けリング７０から脱落することがなく、文字板受けリング７０および導通ピン８０をまとめて管理できる。
【００３０】
文字板受けリング７０にムーブメント６を取り付けると、前記導通ピン８０にアース端子６５が当接し、導通ピン８０はアース端子６５のバネ力で付勢されて文字板受けリング７０の外周側に移動する。
そして、ムーブメント６が取り付けられた文字板受けリング７０をケース本体３に組み込むと、前記導通ピン８０の先端部８１がケース本体３の内壁（内周面）に接触する。このため、導通ピン８０はムーブメント６側に押され、前記アース端子６５に荷重を加えて変形させる。このため、導通ピン８０は、アース端子６５のバネ力によって、アース端子６５およびケース本体３に所定の接触圧で接触し、安定した静電気対策用の導通構造とすることができる。
【００３１】
［本実施形態の作用効果］
ムーブメント６に設けられたアース端子６５を直接ケース本体３に接触するのではなく、導通ピン８０を介して接触する構造としたので、共通のムーブメント６を用いてケースサイズが異なる複数種類の電子時計１を構成する場合に、文字板受けリング７０および導通ピン８０のみをケースサイズに応じて変更することで対応できる。したがって、アース端子６５と導通ピン８０との接触状態はケースサイズに関係なく一定にでき、導通ピン８０とケース本体３との接触状態もケースサイズに関係なく一定にできるため、導通ピン８０を介して、アース端子６５を金属製のケース本体３を確実に導通でき、安定した静電気対策を行うことができる。
【００３２】
文字板受けリング７０には、径方向に沿って貫通孔７３が形成され、導通ピン８０は、前記貫通孔７３に挿通されているので、文字板受けリング７０および導通ピン８０の構造を簡易にでき、安価に提供できる。
また、文字板受けリング７０に導通ピン８０を取り付けた状態で部品として管理でき、管理作業が容易となる。
また、文字板受けリング７０の径方向に沿って導通ピン８０を移動可能に配置し、導通ピン８０の先端部８１をケース本体３の内壁に接触しているので、導通ピン８０の配置位置の自由度が高くなり、容易に設計できる。すなわち、ケース本体３の内周面の全周のいずれかに導通ピン８０を接触させればよいため、導通ピン８０の配置自由度を高めることができる。
さらに、導通ピン８０を裏蓋４に接触させる場合には、回転錘６２や裏蓋ガラス１４を避けて金属製の枠１３に接触させなければならず、導通ピン８０の配置が難しいが、本実施形態では、導通ピン８０をケース本体３の内壁に接触させているので、導通ピン８０を容易に配置できて確実にケース２に接触させることができる。
【００３３】
導通ピン８０の寸法Ｌ１や、ケース本体３およびアース端子６５間の寸法Ｌ２を適切に設定することで、アース端子６５の撓み量（ばねストローク）Ｌ３が、アース端子６５の許容撓み量以下となるように設定できる。このため、アース端子６５のバネ力で導通ピン８０を付勢してケース本体３の内壁に所定の付勢力で接触させることができる。したがって、アース端子６５と導通ピン８０とを確実にかつ安定して接触させることができ、導通ピン８０を付勢する別のバネを設ける必要が無く、部品点数を低減できる。
【００３４】
文字板受けリング７０には、導通ピン８０とアース端子６５との接触状態を確認可能な窓７１３が形成されているので、導通ピン８０とアース端子６５との接触状態を容易に確認できる。このため、導通ピン８０とアース端子６５との接触状態が不安定であれば、安定した接触状態に直すことができ、安定した静電気対策を行うことができる。
【００３５】
なお、本発明は前記実施形態に限定されず、本発明の要旨の範囲内で種々の変形実施が可能である。
例えば、前記実施形態では、窓７１３は必ずしも設ける必要は無い。例えば、ムーブメント６および文字板受けリング７０の裏面側から導通ピン８０およびアース端子６５の接触状態を確認できるように設計した場合は、窓７１３は設ける必要がない。
【００３６】
導通ピン８０をケース本体３側に付勢するばねを別途設けてもよい。また、導通ピン８０の形状としては前記実施形態のものに限定されない。さらに、導通ピン８０の配置数は１つに限らず、複数配置してもよい。この場合、各導通ピン８０のケース本体３の内周面に沿った配置間隔は、等間隔が好ましい。例えば、２つの導通ピン８０を配置する場合には、１８０度間隔、つまりムーブメント６を挟んで対向する位置に配置することが好ましく、３つの導通ピン８０を配置する場合には１２０度間隔で配置することが好ましい。
前記実施形態では、導通ピン８０を文字板受けリング７０に配置していたが、中枠が設けられている場合には中枠に配置してもよい。さらに、導通ピン８０は、ケース本体３の内壁に接触させるものに限定されず、金属製の裏蓋４に接触させてもよい。
【符号の説明】
【００３７】
１…電子時計、２…外装ケース、３…ケース本体、４…裏蓋、６…ムーブメント、１５…文字板、６５…アース端子、７０…文字板受けリング、７３…貫通孔、８０…導通ピン、８１…先端部、８２…小径部、８３…基端部、７１３…窓。
【図１】
0006323363.tif 000002
【図２】
0006323363.tif 000003
【図３】
0006323363.tif 000004
【図４】
0006323363.tif 000005